(57)【要約】【課題】弾性部材と樹脂材料とが一体成形された本体外装を持つことにより、緩衝材等部品を追加することなく、操作部材の操作感の調整が容易で、振動音を早期に減衰させることが可能な電子機器を提供すること。【解決手段】弾性部材と樹脂材料とが一体成形された本体外装と、押圧操作される本体部と、固定部と、前記固定部と前記本体部を接続する弾性を有する腕部を有する操作部材と、スイッチが設置された電子回路基板と、前記外装カバーの弾性部材の一部が前記外装カバー内部で設けられた第１の受け部が、前記操作部材操作時に、前記腕部の略中間位置から操作部材本体部側の範囲で当接し、振動を受ける構成であることを特徴とする。【選択図】図４
2018189861.tif 000002
【特許請求の範囲】
【請求項１】
弾性部材と樹脂材料とが一体成形された本体外装と、
押圧操作される本体部と、固定部と、前記固定部と前記本体部を接続する弾性を有する腕部を有する操作部材と、
スイッチが設置された電子回路基板と、
前記外装カバーの弾性部材の一部が前記外装カバー内部で設けられた第１の受け部が、前記操作部材操作時に、前記腕部の中間位置から操作部材本体部側の範囲で当接し、振動を受ける構成であることを特徴とする撮像装置。
【請求項２】
前記第１の受け部が、前記操作部材が操作されていない保持状態の前記腕部に当接していることを特徴とする請求項１に記載の撮像装置。
【請求項３】
前記操作部材の本体部にフランジ部が設けられ、
前記弾性部材に第２の受け部が設けられ、
前記操作部材操作後の振動時に、前記第２の受け部が、前記フランジ部を受けることを特徴とする請求項１又は請求項２に記載の撮像装置。
【請求項４】
前記操作部材の前記本体部への前記腕部の接続方向に直角で、前記ボタン本体部の中心を通過する中心線より、前記腕部接続部とは反対側の範囲で前記フランジ部を前記第２の受け部が受けることを特徴とする請求項３に記載の撮像装置。
【請求項５】
前記第２の受け部が、前記操作部材の前記本体部への前記腕部の接続方向に直角で、前記ボタン本体部の中心を通過する中心線より、前記腕部接続部とは反対側で、前記腕部の接続方向で前記ボタン本体部の中心を通過する中心線に対して線対称に２ヶ所配置され、前記フランジ部を受けることを特徴とする請求項３又は請求項４に記載の撮像装置。
【請求項６】
前記外装カバーが、把持部材であることを特徴とする請求項１乃至請求項５の何れか一項に記載の撮像装置。
【請求項７】
前記把持部材には、撮像装置の外観面よりも突出した凸形状部が設けられており、前記操作部材が前記凸形状部に配置されていることを特徴とする請求項１乃至請求項６の何れか一項に記載の撮像装置。
【発明の詳細な説明】
【技術分野】
【０００１】
本発明は、デジタルカメラやデジタルビデオカメラ等の電子機器に関し、特に押しボタン等の操作部材を有する撮像装置に関する。
【背景技術】
【０００２】
従来、デジタルカメラは本体前面側にグリップを有しているものがあり、背面側上端部に凸部を設け、凸部近傍にゴム等の弾性部材からなる親指を置くスペースを有しているものがある。ユーザーがグリップを手で把持した際、背面側の親指を置くスペースが弾性部材で構成されているため、滑り止めとして機能し、より確実にデジタルカメラ本体を把持することが可能となっている。さらに凸部に親指が引っかかるため、誤ってデジタルカメラ本体を落下させることを予防している。また、上記の凸部にボタンを配置することにより、ユーザーがファインダを覗きながら、凸部近傍にてデジタルカメラ本体を把持している親指を少しだけ移動させることで操作可能としているものがある。例えば、被写体にピントを合わせた状態でボタンを押すことにより露出を固定し、その後構図を変えても、固定された露出にて撮影可能とする、いわゆるＡＥロックという機能がある。
【０００３】
しかしながら、上述のような凸部は、端部に設けられているため幅が狭く、この凸部にボタンを配置すると、内部にスイッチ部材を配置するスペースが十分にないため、配置スペースのある内部まで下がった場所へスイッチ部材が配置されることになる。そのため、ボタン表面とスイッチ部材との距離が、その他の凸部でない面に設けられたボタンと比較して離れてしまうため、ボタンの背が高くなり、ボタンの重量が増す傾向にある。
【０００４】
また、ボタンが樹脂等の腕による弾性力で保持されている場合、ボタンを押圧操作した後、操作前の状態へボタンが戻ろうとするが、弾性力により戻るだけでなく、上下動を繰り返す振動となり、ユーザーが音として認識し、不快に感じることがある。さらに、ボタンの重量が増していると、振動が減衰する時間がより長くなり、ユーザーが認識する音が長く聞こえることがある。
【０００５】
ボタンの操作時の音を、ユーザーが不快に感じないために、ボタンの抜け防止の係合部を緩衝材とすることにより、音を抑えるようにしたものが提案されている（特許文献１）。この提案では、ボタンの逸脱を防止するため、押圧方向とは逆の方向に付勢する係止部を有する保持手段があり、この保持手段が緩衝部材からなっている。そのため、押圧が解除された後、ボタンの係止部が緩衝部材に当たることにより、振動が抑えられる。
【０００６】
また、弾性変形部が変形することによりスイッチを押下する押しボタン部と、押しボタン部の表面をシート部材が覆い、シート部材と押しボタン部との間に緩衝部材を備え、音を抑えるようにしたものが提案されている（特許文献２）。この提案では、押しボタン部自体を弾性変形部で保持しており、さらに、緩衝部材があるために、押し込み操作後の振動を抑えることができる。
【先行技術文献】
【特許文献】
【０００７】
【特許文献１】特開２００８−２２６５９９公報
【特許文献２】特開２０１１−２３３４６４公報
【発明の概要】
【発明が解決しようとする課題】
【０００８】
しかしながら、上記特許文献１では、振動音を抑えるために緩衝部材からなる保持手段を追加しているうえに、押しボタンの組立時に係止部を差し込む必要があるなど、組立性がよくない。上記特許文献２では、押しボタンの操作感を調整するには、押しボタン部を保持している弾性変形部の厚みを増減させるしかないが、変形部であるために、ボタン押し込み時の力のかかる方向が予想しにくく、押しボタン部の傾き等も考慮しなければならい。そのため、簡単に調整をすることが困難である。また、緩衝部材を押しボタン部とシート部材の間に挟み込む等、組立性に関してもより難しくなっている。
【０００９】
本発明の目的は、緩衝部材を追加することなく、操作部材の操作感の調整も容易で、且つ振動音の減衰を早める撮像装置を提供することにある。
【課題を解決するための手段】
【００１０】
上記の目的を達成するために、本発明に係る撮像装置は、
弾性部材と樹脂材料とが一体成形された本体外装と、押圧操作される本体部と、固定部と、前記固定部と前記本体部を接続する弾性を有する腕部を有する操作部材と、スイッチが設置された電子回路基板と、前記外装カバーの弾性部材の一部が前記外装カバー内部で設けられた第１の受け部が、前記操作部材操作時に、前記腕部の略中間位置から操作部材本体部側の範囲で当接し、振動を受ける構成であることを特徴とする。
【発明の効果】
【００１１】
本発明によれば、弾性部材と樹脂材料とが一体成形された本体外装を持つことにより、緩衝材等部品を追加することなく、操作部材の操作感の調整が容易で、振動音を早期に減衰させることが可能な撮像装置を提供することができる。
【図面の簡単な説明】
【００１２】
【図１】本発明の電子機器としての撮像装置の外観斜視図である。
【図２】操作部材の分解斜視図である。
【図３】操作部材正面図である。
【図４】操作部材の断面図である。
【図５】操作部材本体部の沿直方向からの部分正面図である。
【発明を実施するための形態】
【００１３】
以下、本発明の実施の形態を図面に基づいて説明する。
【００１４】
図１（ａ）、及び図１（ｂ）は本実施例の一例である撮像装置１を正面側から見た斜視図、及び背面側から見た斜視図となっている。
【００１５】
図１（ａ）に示すように、本実施例の撮像装置１は正面側に被写体像を形成するレンズ部２が設けられており、形成された被写体像は、不図示の撮像素子により電子データに変換される。不図示の制御基板上に実装された不図示のＣＰＵが、前述の変換された電子データを不図示のメモリに保存し、撮像中の被写体像を後述の表示部７に表示する等、撮像装置としての様々な制御をする。また、撮像装置１の右側正面部にグリップ５が設けられており、ユーザーがグリップ５を握ることで撮像装置１をしっかりと把持することが可能となり、不用意に落下させてしまうことを防止している。撮像装置１の上面部には、操作することで撮影動作を開始するレリーズボタン２が設けられている。さらに、回転させることにより、絞り値優先自動露出モード、シャッター速度優先自動露出モード、絞り値やシャッター速度をユーザーが設定するマニュアル露出モード、動画撮影モードといった撮影モードを切り替え可能なモードダイアル６が設けられている。
【００１６】
図１（ｂ）に示すように、撮像装置１の背面側には、押下することで、例えばメニュー画面や、再生モードへの切替え等、それぞれに割り当てられた機能を呼び出すことが可能となる操作ボタン８が設けられている。その隣には、表示部７が設けられており、上記のメニュー画面、及び再生モード時の画像や、その他様々な情報が表示される。前記操作ボタン８により、メニュー画面が選択され、前記表示部７にメニューの各項目が表示された際に、各項目を選択可能とする円環状の方向ボタン９が設けられている。そして、その内側には選択された項目を実行するための、決定ボタン１０が設けられている。そして、中央上面部にファインダ１１が配置されており、ユーザーがファインダ１１の窓部を覗きながら撮影することができる。
【００１７】
正面側に設けられた前記グリップ５の背面側の上部には、背面側把持部材１２が設けられており、背面側把持部１２ａと凸部１２ｂで構成されている。背面側把持部材１２は弾性部材とＰＣの様な樹脂との一体成形にて構成されており、特に前記背面側把持部１２ａの表面が後述する弾性部材１２ｃとなっている。弾性部材１２ｃは弾性を有するため、前記背面側把持部材１２ａに指を置いた際に、摩擦が高く滑りにくくなっている。そのため、ユーザーが前記グリップ５を握り、前記背面側把持部材１２ａの前記弾性部材１２ｃ部に親指を置くことで、よりしっかりと把持することが可能となり、更に、前記凸部１２ｂに親指が引っかかることにより落下防止の効果が上がっている。前記凸部１２ｂには操作ボタン１３が設けられており、前記背面側把持部１２ａに置いている親指を少しだけ移動させることで操作可能となっているため、ユーザーが前記ファインダ１１を覗きながら操作することができる。
【００１８】
図２は本実施例における、図１（ｂ）の前記撮像装置１の背面側の前記背面側把持部材１２の周囲の分解斜視図である。図３は操作ボタン１３の正面図である。
【００１９】
図２において、前記背面側把持部材１２関連の構成について説明する。前記外装カバー４の背面側である背面カバー１４に凹部１４ａが設けられており、前記背面側把持部材１２が嵌り込む。そして、前記背面側把持部材１２の内側に前記操作ボタン１３が接着材等により保持される。スイッチ部材１５ａはドーム状の板金からなっており、前記スイッチ部材用の接点パターンが配線された操作フレキ１５に貼り付けられている。前記スイッチ部材１５ａは押下されると、ドーム状の板金が反転して前記操作フレキ１５上に設けられた接点パターンと接触し、電流が導通可能となる構造となっている。保持板金１６には前記スイッチ部材１５ａが配置された前記操作フレキ１５が貼り付けられており、前記背面側把持部材１２、及び前記背面カバー１４に、前記保持板金１６が前記操作ボタン１３を挟み込むようにネジ止め等により固定される。そして、前記操作フレキ１５は不図示の前記制御基板へとコネクタ等により電気的に接続されている。
【００２０】
図３において、前記操作ボタン１３の構成について説明する。
【００２１】
前記操作ボタン１３は樹脂材料からなり、２つの本体部１３ｃを、それぞれ腕部１３ｂを介して固定部１３ａで一体化され、前記固定部１３ａに位置決め穴１３ｅが設けられている。前記固定部１３ａが、固定保持されることにより、それぞれの前記本体部１３ｃをそれぞれの前記腕部１３ｂの弾性力により片持ち保持可能となっている。そのため、前記操作ボタン１３の操作感を、前記腕部１３ｂの幅や、厚みを変更することにより容易に変更可能となっている。
【００２２】
図４は前記操作ボタン１３の前記本体部１３ｃの中心部から前記腕部１３ｂにかけての断面図であり、非操作状態を示している。
【００２３】
図４において、本実施例の詳細について説明する。
【００２４】
前記背面側把持部材１２は、弾性部材１２ｃが前記背面側把持部１２ａの表面を覆っており、その内側を樹脂材料であるＰＣからなるＰＣ部１２ｄが一体成形により構成されており、前記凸部１２ｂの一部である、前記操作ボタン１３の前記本体部１３ｃの周囲に前記ＰＣ部１２ｄが露出している。前記弾性部材１２ｃとしては、エラストマのような一体成形可能な弾性部材が考えられる。
【００２５】
また、本実施例では、前記背面側把持部材１２を前記弾性部材１２ｃと、前記ＰＣ部１２ｄとの一体成形品としているが、前記ＰＣ部１２ｄをＰＣ以外の樹脂、例えばＡＢＳ等の樹脂としてもよい。
【００２６】
前記凸部１２ｂの前記ＰＣ部１２ｄには、前記操作ボタン１３の前記本体部１３ｃが挿通可能な貫通孔１２ｈが設けられている。前記弾性部材１２ｃではなく、前記ＰＣ部１２ｄに前記貫通孔１２ｈが設けられることにより、前記操作ボタンが、前記貫通孔１２ｈに引っかかることなく操作可能となっている。そして、前記ＰＣ部１２ｄの一部を貫通して、前記弾性部材１２ｃが内側へ延設された突起状の第１の受け部１２ｅが設けられている。
【００２７】
また、前記ＰＣ部１２ｄから位置決めピン１２ｇが設けられ、前記操作ボタン１３の前記位置決め穴１３ｅが前記位置決めピン１２ｇに嵌り込み、前記固定部１３ａが接着材等により前記背面側把持部材１２へ保持固定される。そして、前記操作ボタン１３は、本体部１３ｃが前記貫通孔１２ｈへ挿通され、前記腕部１３ｂを介して押下可能に保持されており、前記本体部１３ｃの底面部に、ボタン凸部１３ｄが設けられている。
【００２８】
前記操作フレキ１５が貼り付けられた前記保持板金１６が、前記操作ボタン１３を間に挟んで前記背面側把持部材１２に不図示のビスにより固定されており、前記スイッチ部１５ａが、前記操作ボタン１３の前記ボタン凸部１３ｄの真下に来るように配置されている。そのため、ユーザーが前記操作ボタン１３の前記本体部１３ｃを押下操作すると、前記ボタン凸部１３ｄが前記スイッチ部１５ａを押し込み可能となる。
【００２９】
前記スイッチ部１５ａが押し込まれると、ドーム状の板金が前記操作フレキ上のパターンと接触し、電気信号が前記操作フレキ１５を通して不図示の前記制御基板へと流れ、不図示の前記制御基板上のＣＰＵによりスイッチＯＮの判断がなされる。そして、ユーザーが前記操作ボタン１３の前記本体部１３ｃから指を離すと、前記スイッチ部材１５ａの反発力、及び前記腕部１３ｂの弾性力により、前記固定部１３ａを支点として押下方向とは逆向き方向へ前記本体部１３ｃが跳ねあげられる。そして、前記本体部１３ｃは非操作状態よりも前記背面側把持部材１２の前記貫通孔１２ｈから飛び出す方向へ移動しようとする。さらに、前記本体部１３ｃは前記腕部１３ｂにて片持ち保持されているため、前記腕部１３ｂの弾性力により、前記固定部１３ａを支点として、前記腕部１３ｂ及び前記本体部１３ｃが上下動を繰り返す振動となってしまう。
【００３０】
ここで、範囲Ａは、前記操作ボタン１３の前記腕部１３ｂの略中間部から、前記本体部１３ｃまでの範囲である。そして、前述のように、前記本体部１３ｃが前記貫通孔１２ｈから飛び出す方向へ移動しようとするのを、前記背面側把持部材１２の前記第１の受け部１２ｅが前記範囲Ａで前記腕部１３ｂを受けるように配置されている。
【００３１】
これにより、前記第１の受け部１２ｅは前記弾性部材１２ｃの一部であるため、前記操作ボタン１３の押下後の振動を吸収することになり、前記第１の受け部１２ｅが無い場合と比較して、振動が減衰する時間が短くなっている。即ち、振動音が短くなり、ユーザーが不快に感じることがない。また、前記固定部１３ａが振動の支点となっているため、前記第１の受け部１２ｅが前記範囲Ａを受けることにより、前記腕部１３ｂの前記固定部１３ａ側を受けるよりも、前記本体部１３ｃの振動をより減衰する効果がある。特に、前記弾性部材１２ｃの材質を、粘弾性を有する弾性材料とすることで、より振動を減衰する効果が得られる。
【００３２】
図５（ａ）、図５（ｂ）は前記操作ボタン１３の前記本体部１３ｃのボタン押下方向からの正面図であり、前記操作ボタン１３に、前記背面側把持部材１２の前記第１の受け部１２ｅ、及び後述する第２の受け部１２ｆのみを投影した状態を示している。
【００３３】
図５（ａ）において、前述の前記第１の受け部１２ｄが前記範囲Ａで前記腕部１３ｂを受けている。そして、前記操作ボタン１３の前記本体部１３ｃの底面側外周に放射方向への凸形状となるフランジ部１３ｆが設けられており、第２の受け部１２ｆが前記フランジ部１３ｆ上に投影して配置されており、前記操作ボタン１３が振動した際に当接するように配置されている。中心線Ｂは、前記操作ボタン１３の前記本体部１３ｃの略中心を通り、前記腕部１３ｂが前記本体部１３ｃに対して接続している方向と平行な中心線であり、中心線Ｃは前記本体部１３ｃの略中心を通過し、前記中心線Ｂと略直交している中心線である。範囲Ｄは、前記中心線Ｃから前記腕部１３ｂが前記本体部１３ｃに接続されていない側であり、前記第２の受け部１２ｆがこの範囲内に配置されている。
【００３４】
本実施例では、前記範囲Ｄ内の前記中心線Ｂ上に前記第２の受け部１２ｆが配置されている。そのため、前記腕部１３ｂの前記本体部１３ｃとの接続部との反対側で、前記本体部１３ｃの振動が最も大きい場所を受けることが可能となっている。これにより、前記腕部１３ｂの振動を前記第１の受け部１２ｄで受け止め、前記本体部１３ｃの振動を前記第２の受け部１２ｆにて効果的に受けることが可能となっている。
【００３５】
また、本実施例の一例として、図５（ｂ）において、前記第２の受け部が前記範囲Ｄ内にて前記中心線Ｂに対して略線対称となるように２ヶ所配置されている。そのため、前記第２の受け部１２ｆが、前記操作ボタン１３の振動を受けた際に前記操作ボタン１３の前記本体部１３ｃが傾いて、前記背面側把持部材１２の前記貫通孔１２ｈの壁面と衝突しにくくなり、振動音以外の衝突音等の発生を抑えることが可能となっている。
【００３６】
本実施例において、背面側把持部材に設けられた操作ボタンについて説明したが、弾性部材と樹脂等の一体成形された外装カバーに設けられた操作ボタンについても適応できる。
【符号の説明】
【００３７】
１  撮像装置、２  レンズ部、３  レリーズボタン、４  外装カバー、
５  グリップ、６  モードダイアル、７  表示部、８  操作ボタン、
９  方向ボタン、１０  決定ボタン、１１  ファインダ、１２  背面側把持部材、
１２ａ  背面側把持部、１２ｂ  凸部、１２ｃ  弾性部、１２ｄ  ＰＣ部、
１２ｅ  第１の受け部、１２ｆ  第２の受け部、１２ｇ  位置決めピン、
１２ｈ  貫通孔、１３  操作ボタン、１３ａ  固定部、１３ｂ  腕部、
１３ｃ  本体部、１３ｄ  ボタン凸部、１３ｅ  位置決め穴、１３ｆ  フランジ部、
１４  背面カバー、１４ａ  凹部、１５  操作フレキ、１５ａ  スイッチ部材、
１６  保持板金、Ａ  腕部中間から本体部までの範囲、
Ｂ  操作ボタン腕部接続方向と平行な中心線、
Ｃ  操作ボタン腕部接続方向と直交する中心線、Ｄ  第２の受け部配置範囲
【図１】
2018189861.tif 000003
【図２】
2018189861.tif 000004
【図３】
2018189861.tif 000005
【図４】
2018189861.tif 000006
【図５】
2018189861.tif 000007